(57)【要約】   −新鮮で皮をむいた天然のキーウィフルーツである、少なくとも１個の食料品（２）、−前記食料品（２）が完全に収容され、完全に密封された無毒の包装材料（４）、及び−前記食料品（２）と結合するか、結合することができる取っ手要素（３）を含む包装。【選択図】図８
2011505301.tif 000002
【特許請求の範囲】
【請求項１】
少なくとも１個の食料品（２）を含む包装であって、前記食料品（２）が完全に収容される無毒の包装材料（４）を含み、前記食料品（２）が新鮮で皮をむいた天然のキーウィであり、前記包装（１）中に含まれる前記食料品（２）が取っ手要素（３）と結合しているか、又は結合することができ、前記無毒の包装材料（４）が完全に密封されていることを特徴とする包装。
【請求項２】
前記食料品（２）が、気圧が調整されて包装材料（４）中に含まれていることを特徴とする、請求項１記載の包装。
【請求項３】
前記食料品（２）が、前記取っ手要素（３）により少なくとも部分的に横断されていることを特徴とする、請求項１記載の包装。
【請求項４】
前記取っ手要素（３）が、前記食料品（２）中に部分的に刺さっていることを特徴とする、請求項１記載の包装。
【請求項５】
前記食料品（２）が、単に１個の無傷の完全に皮をむいたキーウィフルーツであることを特徴とする、請求項１記載の包装。
【請求項６】
前記取っ手要素（３）が、前記包装材料（４）に完全に収容されていることを特徴とする、請求項１記載の包装。
【請求項７】
前記取っ手要素（３）の少なくとも一部が、前記包装材料の少なくとも外側にあることを特徴とする、請求項１記載の包装。
【請求項８】
前記包装材料（４）が、その強靱性を部分的に低下させるための手段を含むことを特徴とする、請求項１記載の包装。
【請求項９】
前記取っ手要素（３）が、食用材料中に備えられていることを特徴とする、請求項１記載の包装。
【請求項１０】
前記取っ手要素（３）が、使用者により把握されるように適合する第一の把握部分（３１）、及び前記食料品（２）の内部に侵入するように適合する第二の導入部分（３２）を含むことを特徴とする、請求項１記載の包装。
【請求項１１】
前記第一の部分（３１）と前記第二の部分（３２）との間に肩（３３）が位置しており、前記肩が、前記取っ手要素（３）に対して放射状に伸びていることを特徴とする、請求項１０記載の包装。
【請求項１２】
前記第一の部分（３１）の自由端が円形であり、十字型部分を有することを特徴とする、請求項１０記載の包装。
【発明の詳細な説明】
【技術分野】
【０００１】
本発明は、天然のキーウィフルーツの包装に関連する技術分野に関する。
【背景技術】
【０００２】
今日では、キーウィフルーツとして、より一般に知られているアクティニディア・チネンシスは無傷で販売されており、その結果、輸送を容易にするため、適切な機械により製造された種々のタイプの包装内に入れ、又は容器に入れずに、例えば適切な袋に入れ、全体として販売されている。
【０００３】
通常、それぞれの包装又は袋からいったん取り出すと、キーウィフルーツは、例えば、通常のナイフを用いて手で皮をむき、その果肉を食することができる。
【０００４】
前記皮むき操作は、果実を食することを望む同じ人（又は当然に親戚又は友人によって）実施され、また、各家庭で消費されない場合でも、例えばいわゆるセルフサービス式レストラン、仕事中、又は学生食堂で、又は多くのホテルにおいて供給される。
【０００５】
皮が、その（特に、いわゆる果皮）内部に含まれる果肉と非常に接触している果物を手でむく場合、キーウィフルーツの場合のように（オレンジ及びマンダリンの例ではないが）、多肉の果肉は、それ自体がかなりの量の汁を産生し、それは流れ出すか吹き出し、次いで、例えば、果物をむいた表面、果物をむいた人の手に拡散し、最悪の場合には衣服及び床の上にも広がる。かなりの不便さ、及び汁の拡散による食料品の重要な部分の無駄に加え、手による皮むきは、自身で汁を拭き取り、それが拡散した表面を清掃する煩わしい必要性をもほのめかし、これは、キーウィフルーツが消費される時には常に必ずしも容易であるというわけではない。
【０００６】
十代の若者、高齢者又は身体障害者によりキーウィフルーツの皮をむく場合に、前記不都合は非常に大きくなる。
【発明の概要】
【発明が解決しようとする課題】
【０００７】
キーウィフルーツを消費する従来の方法の他の不都合は、前記記載から明らかなように、その消費が、イチゴのような他のベリー類又はマンダリンのような柑橘類を消費するのに要する時間よりも時間を必要とすることであり；この事実は、このような果物を供給する事業所、例えば、前述のセルフサービス式レストランの販売及び消費指針と明らかに矛盾している。
【課題を解決するための手段】
【０００８】
前記各不都合及び他の不都合は、
−新鮮で皮をむいた天然のキーウィフルーツである、少なくとも１個の食料品、
−前記食料品が完全に収容され、完全に密封された無毒の包装材料、及び
−前記食料品と結合するか、結合することができる取っ手要素を含む、請求項１記載の包装によって解決される。
【０００９】
本発明の技術的解決法は、あらゆる場所及びあらゆる状況において、キーウィフルーツが傾く上端を用いる必要なく、また、器具を用いてキーウィ自体をむく必要なく（この使用は、正確かつ効果的な方法で本発明を活用するために完全に無用である）、前記包装材料を簡単に開き、前記取っ手要素により前記キーウィフルーツを保持することにより、好ましくは、１個の無傷で完全に皮をむいたキーウィフルーツである、前記食料品を消費することを可能にする。
【００１０】
取っ手要素は、キーウィフルーツを食した後に所望される場合、消費者によって更に保持することができるように、食用材料中、無毒のプラスチック又は木材中に認識することができ、装置として、ゲームに必要な用具として、刃物類として、又は食料品に関する情報若しくは広告情報手段して、又は他の目的として構成することができる。
【００１１】
今のところ公知であり、構造的及び構成的特徴は本明細書の目的ではないので、本明細書に記載されていない適切な機械は、無傷で完全に皮をむいていないキーウィフルーツに戻す方法でこれらの食料品の皮をむく。
【００１２】
従って、本発明を用いることにより、汚れがつく可能性を最小限に減少し、それを食するためにテーブルにつくことを強いられることなく、消費者は、新鮮で、消費する用意ができ、その上完全に皮をむいたキーウィフルーツを食する可能性を有する。
【００１３】
本発明によれば、例えば、キーウィフルーツは、いわゆる「呼吸」を遅くするために、減圧下、空気下又は有利には気圧を調整して包装することができる。
【００１４】
更に、本発明により、必要に応じて、所望の場合にはすぐに食することができるように、腐敗したり、汚れたり又は損傷するというほんの少しのリスクさえも伴うことなく、包装内で輸送することができる天然のキーウィフルーツが提供され、これらの全ては、果物が、官能特性を変化させることを意図する保存又は処理方法を受けることなく可能である。
【００１５】
有利には、本発明は、キーウィフルーツは、ファーストフードレストランで消費され、又は輸送手段、例えば地下鉄又は航空機に乗って消費するのに適切でないと考えられ、又は一般に、消費者は、フロアーに関して自由に使える適切ないす及びテーブルを有していないという技術的−商業的不利益を克服することを可能にする。
【００１６】
本発明の有利な態様によれば、包装材料は、包装を手で開くのに役立つ、強靱性を部分的に低下させるための手段を含み、強靱性を減少するための前記手段は、取っ手要素に最も近いものの向かい側の巻き付け部において得られる。この方法において、垂直位置に包装を保持することにより、消費者は、キーウィフルーツをアイスクリーム又はアイスキャンディーとして食するために、その上部において包装を解き、包装を介して取っ手要素を把握することにより、下部による包装を保持し、次いで、包装を底にむかってくしゃくしゃにすることができる。
【００１７】
非常に有利には、これは、これらの液滴が消費者の手を汚し、又は例えば落下することにより床に拡散する可能性を完全に無効にするように、果物に沿って、及び／又は取っ手要素に沿って落下し得るわずかに可能なキーウィの汁の液滴が、くしゃくしゃになった包装のひだの間に集まることを示す。
【００１８】
包装の強靱性を部分的に低下させるための手段は、食料品の包装の技術分野における当業者に広く知られている方法により、包装自体の開口を定義する縁を適切に結合し、接着することにより提供され得る。
【００１９】
先行する開示から明らかでない本発明の特徴は、好ましい実施態様は請求項に従い、また、図面を参照することにより記載される以下の記載により強調されるであろう。
【図面の簡単な説明】
【００２０】
【図１】図１は、本発明の第一の特定の型の概略縦断面図である。
【図２】図２は、図１におけるのと同一の発明思想の第二の特定の型の概略縦断面図である。
【図３】図３は、図１の拡大詳細図である。
【図４】図４は、包装内に含まれる取っ手要素の概略横断面図である。
【図５】図５は、各取っ手要素が結合している、包装内に含まれる食料品の断面側面図である。
【図６】図６は、本発明の特定の実施態様による取っ手要素の断面側面図である。
【図７】図７は、本発明の他の特定の構成による取っ手要素の断面側面図である。
【図８】図８は、本発明の発明概念の特定の型による断面側面図である。
【発明を実施するための形態】
【００２１】
前記図面を参照し、参照番号１は、
−食料品が、新鮮で皮をむいた天然のキーウィフルーツである食料品２、
−前記食料品が完全に収容され、完全に密封された無毒の包装材料４、及び
−前記食料品２と結合するか、結合することができる取っ手要素３を含む包装を示す。
【００２２】
示される例においては、食料品２は、単に１個の完全に皮を向いた、新鮮な天然の無傷のキーウィフルーツである。
【００２３】
図１、２及び５に示すように、食料品２は、前記取っ手要素３により部分的に横断されており、結果として取っ手要素３は食料品２中に部分的に刺さっている。
【００２４】
図１は、取っ手要素３が包装材料４中に完全に含まれる型による発明概念を示すが、図２は、取っ手要素３の一部が包装材料４の外側にある型を示し（これは、その密封性にわずかに妥協せず、包装材料４自体に含まれ、取っ手要素３により交差する密封手段による）；食品包装の技術分野において広く知られているので、前記密封手段は添付図面に詳細に示さない。
【００２５】
選択された例においては、取っ手要素３は、例えば、同一の取っ手要素３のモノリシックボディー中に得ることができる第一の把握部分３１と第二の導入部分３２とを含み（図１、２、５、６及び７を参照）；本発明の特定の態様によれば、前記部分（３１、３２）の間に、取っ手要素３自体に対して放射条に伸びる肩３３を配置することが可能であり、これはユニークなボディーとして得られ、実質的にディスクとして構成される。
【００２６】
図は、部分３２が果物内に、例えば内果皮の最も奥まで侵入することを意図し、部分３１が、より簡単な手段で消費することができるように食料品２を手で把握することを意図し、肩３３は、消費者がキーウィフルーツを食する間に、消費者によって取っ手要素が垂直位置に保持される時に、キーウィフルーツ内に侵入（このような侵入は、例えば、以下に包装後に明瞭になるであるように、同じ消費者により、適切な機械又は代替え物による包装前に実施される）する部分３２を停止し、食料品２が取っ手要素３に沿って底部に滑り落ちることを予防する機能の両方を部分的に又は全体として実施することを明瞭に示す。
【００２７】
図３は、食料品２において深く侵入するように適合する、図１においてＫとして示される部分３２の端部の拡大詳細図を示す端部は、取っ手要素３がキーウィからいったん分離されると、多少の一時的な対抗手段になるように円形である。
【００２８】
図４に示すように、部分３２は、食料品２に侵入しやすいように、全ての長手方向に沿って伸長する十字型を有する。
【００２９】
例として、図５、６及び７は、取っ手要素３のいくつかの構成：例えば、木材で製造された平らな取っ手要素３、その侵入部分３２が十字型断面を備え、食料品２に深く侵入するようになっている取っ手要素３、及びその部分３２が、キーウィフルーツ内に侵入するようになっている２本の線３４を含む、フォークのように構成される取っ手要素３を示す（それでも、これは発明概念の一部である）。
【００３０】
前記と同一の発明概念の更なる変形によれば、食料品２及び取っ手要素３が分離されており、特に、後者が食料品２に対して実質的に軸方向に位置している包装１が提供される。従って、キーウィを食するために、消費者は、内部に含まれるキーウィを食することを望む時に、果物、従って包装材料を開くために、その部分３２が侵入できるように、消費者は、包装材料を用いて一方の手で食料品２を、他方の手で取って要素３を容易に把握し、取っ手要素３を押す以外にはすることがない。明らかに、部分３１が、少なくとも部分的に包装材料４の外側である、このような変形を提供することが可能である（添付図面及び明細書の開示により容易に推論できるので例を示さない）。
【００３１】
前記記載は単に例示であり限定できないことが意図され、従って、前記記載及び以下の請求項により定義されるように、可能な実質的な変形は本発明の保護範囲内にあることが意図される。
【図１】
2011505301.tif 000003
【図２】
2011505301.tif 000004
【図３】
2011505301.tif 000005
【図４】
2011505301.tif 000006
【図５】
2011505301.tif 000007
【図６】
2011505301.tif 000008
【図７】
2011505301.tif 000009
【図８】
2011505301.tif 000010
【手続補正書】
【提出日】平成22年7月15日(2010.7.15)
【手続補正１】
【補正対象書類名】特許請求の範囲
【補正対象項目名】全文
【補正方法】変更
【補正の内容】
【特許請求の範囲】
【請求項１】
少なくとも１個の食料品（２）及び前記食料品（２）が完全に収容される、完全に密封された無毒の包装材料（４）を含む包装であって：
前記包装（１）が、前記食料品が、新鮮で皮をむいた、天然のキーウィ（２）であり、前記キーウィ（２）に部分的に刺さっており、前記包装材料（４）に完全に収容されている取っ手要素（３）を更に含み、把握部分（３１）及び導入部分（３２）を含み、前記導入部分（３２）がキーウィ（２）の内果皮の最も奥まで侵入し、前記把握部分（３１）は、キーウィ（２）が、前記取っ手要素（３）によって保持されて消費し得るように手で把握されることを意図していることを特徴とする包装。
【請求項２】
前記食料品（２）が、気圧が調整されて包装材料（４）中に含まれていることを特徴とする、請求項１記載の包装。
【請求項３】
前記食料品（２）が、単に一個の無傷の完全に皮をむいたキーウィフルーツであることを特徴とする、請求項１記載の包装。
【請求項４】
前記包装材料（４）が、その強靱性を部分的に低下させるための手段を含むことを特徴とする、請求項１記載の包装。
【請求項５】
前記取っ手要素（３）が、食用材料中に備えられていることを特徴とする、請求項１記載の包装。
【請求項６】
前記第一の部分（３１）と前記第二の部分（３２）との間に肩が位置しており、前記肩が、前記取っ手要素（３）に対して放射状に伸びていることを特徴とする、請求項１記載の包装。
【請求項７】
前記第一の部分（３１）の自由端が円形であり、十字型部分を有することを特徴とする、請求項１記載の包装。
【国際調査報告】
2011505301.tif 000011
2011505301.tif 000012